(57)【要約】【課題】肌色など忠実な色の再現を得るために、ユーザが好ましいと思われる色を簡単にしかも他の特性に影響せずに調整できるようにする。【解決手段】画像表示範囲を複数に分割して各分割領域３１〜３４を異なる色温度で表示する表示部と、この表示部の各分割領域３１〜３４を各々所定の色温度に調整する駆動回路部と、表示部の各分割領域３１〜３４の中から利用者が所望の分割領域を選択するための操作部と、この色温度選択部からの信号を検出して、選択された分割領域の色温度で全画像表示範囲が表示されるよう駆動回路部を制御する制御部とを有することを特徴とする。【選択図】図６
2007101669.tif 000002
【特許請求の範囲】
【請求項１】
画像表示範囲を複数に分割して各分割領域を異なる色温度で表示する表示部と、
前記表示部の各分割領域を各々所定の色温度に調整する駆動回路部と、
前記表示部の各分割領域の中から利用者が所望の分割領域を選択するための操作部と、
前記操作部からの信号を検出して、選択された分割領域の色温度で全画像表示範囲が表示されるよう前記駆動回路部を制御する制御部と
を有することを特徴とする表示装置。
【請求項２】
前記画像表示範囲の各分割領域を異なる色温度で表示する際の色温度設定を記憶する記憶部を備え、
前記制御部は、前記記憶部から読み出した各分割領域の色温度設定に基づいて前記駆動回路部を制御する
ことを特徴とする請求項１に記載の表示装置。
【請求項３】
前記表示部は液晶パネルからなるとともに、前記表示部の画像表示範囲を複数に分割した各分割領域に対応して、個別に配置された複数色の光源を備え、
前記駆動回路部は、前記制御部からの制御信号に基づいて、前記表示部の各分割領域に対応して配されている各々の前記複数の光源に対する駆動信号を調節する
ことを特徴とする請求項１に記載の表示装置。
【請求項４】
前記複数色の光源は複数色の発光ダイオードからなり、
前記複数色の発光ダイオードが各々発光する発光色を混色して得られる白色点を、各々の発光ダイオードのスペクトル強度の組合せを変えて調整する
ことを特徴とする請求項３に記載の表示装置。
【請求項５】
前記表示部を全白にして表示し、前記利用者に好みの白色温度で表示されている分割領域を選択させる
ことを特徴とする請求項１に記載の表示装置。
【請求項６】
画像表示範囲を複数に分割して各分割領域を異なる色温度で表示し、利用者に所望の分割領域を選択させる表示装置に用いられる液晶パネルを照明する照明装置であって、
前記画像表示範囲を複数に分割して設定したそれぞれの分割領域に対応して個別に配置された複数の光源と、
前記複数の光源を前記分割領域ごとに独立して駆動させる駆動回路部を備え、
前記複数の光源は、前記駆動部からの駆動信号に基づき前記分割領域ごとに独立して発光する
ことを特徴とする照明装置。
【請求項７】
表示部を利用者の所望の色温度で表示するための表示方法であって、
前記表示部の画像表示範囲を複数に分割して各分割領域を異なる色温度で表示し、
上記複数の分割領域の中から利用者が所望の分割領域を選択したときに入力される信号を検出し、
選択された分割領域の色温度で全画像表示範囲を表示する
ことを特徴とする表示方法。
【発明の詳細な説明】
【技術分野】
【０００１】
本発明は、例えばバックライト装置等の照明装置を備えた液晶表示装置に適用して好適な表示装置、照明装置及び表示方法に関する。
【背景技術】
【０００２】
現在の表示装置（ディスプレイ）では標準色温度は太陽光に近いＤ６５（６５００Ｋ近辺）とされるが、色温度が高いほうがくっきり鮮やかに見えて好まれるので、テレビジョン受像機（以下、「テレビ」という）の中には９０００Ｋ以上と色温度が高く設定されているものもある。
【０００３】
色温度とは、完全放射体（黒体）を熱した時に放出される光の波長の分布が変わることに着目し、色をそれと同じ完全放射体（黒体）の温度で表したものである。単位はケルビン（Ｋ）である。図１３に、色温度と色度点の関係を表したＣＩＥ色度図を示す。馬蹄型の線１００は、波長で約４００ｎｍ（青）〜約８００ｎｍ（赤）の彩度１００％の点を結んだものである。馬蹄型の中に集まるほど彩度が下がり、ＲＧＢのエネルギー分布のバランスがとれる位置で白の領域になる。
【０００４】
色は色温度が低ければ赤みを帯び、反対に高ければ青み掛かって見える。例えば、５０００Ｋ（暖色系の白）、６５００Ｋ（昼光色）、９０００Ｋ（寒色系の白）というように、色温度が異なると同じ白でもかなり異なった色に見える。
【０００５】
ところで人によって色の見え方は千差万別で、人はそれぞれ好ましい色というものを持っている。一番顕著な例が記憶色と呼ばれる色で、例えば人の肌色や青空や芝生の緑色である。これらの色が地域や年齢によって見え方が異なることが統計的な調査でわかっている。
【０００６】
記憶色をはじめとする色の再現を忠実に行うには中心となる白の色度点が重要となる。現行のテレビ用モニタやＰＣ（パーソナルコンピュータ）用モニタでは標準色空間としてｓＲＧＢ空間を用いているが、ホワイトポイント（白色点）はＤ６５（６５００Ｋ）が基準となっている。すなわち図１４に示すように、白色点１０１とモニタの色再現範囲１０２は予め決まっている。
【０００７】
ところが液晶表示テレビジョン受像機（以下、「液晶テレビ」という）の場合は、色のくっきり感を出すために実際の色温度は９０００Ｋ以上と非常に高く、基準となるホワイトポイントが違えば、他の色も当然異なって見える。
【０００８】
一般に液晶テレビの画質モードとしては大きく分けて、彩度強調したダイナミック（店頭展示用）モード、通常の彩度に設定したナチュラルモード、ユーザが色合い（色相）や輝度を設定できるカスタムモードの３通りが装備されているが、通常のＣＣＦＬ（Cold Cathode Fluorescent Lighting）光源をバックライトとして用いた液晶テレビには色温度設定が簡単にできるものがない。ＣＣＦＬ光源では、光源の分光分布を変えることができないために、バックライト側で色温度を自由に制御することができないのである。
【０００９】
例えば、プロジェクタやＰＣ用液晶モニタあるいは携帯用ディスプレイなどは、液晶パネル側すなわち液晶によるシャッタ機能を利用してＲＧＢ比を微妙に変えて白色点をある程度調整することが可能であるが、液晶シャッタの開放具合による加法混色の割合で全白調整を行うため、大きな白色温度変化を必要とする場合は輝度変化（損失）が大きくなりコントラスト特性にも影響を与えてしまうという問題があった。
【００１０】
一方、青色発光ダイオードの開発により、光の三原色である赤色光、緑色光、青色光をそれぞれ発光する発光ダイオードが揃ったことになり、これらの発光ダイオードから出射される赤色光、緑色光、青色光を混色することで、色純度の高い白色光を得ることができる。したがって、この発光ダイオードをバックライト装置の光源とすることにより、液晶表示パネルを介した色純度が高くなるため、色再現範囲をＣＣＦＬと比較して大幅に広げることができる。さらに、高出力の発光ダイオードチップ（ＬＥＤチップ）を使用することによって、バックライト装置の輝度を大幅に向上させることができる。
【００１１】
このような発光ダイオードを利用して、例えば直下型、すなわち発光ダイオードを光出射面の直下に配置するバックライト装置が提案されている（例えば非特許文献１参照。）。
【００１２】
発光ダイオードを光源に利用したバックライト装置の一例を図１５に示す。図１５に示すバックライト装置１１０においては、赤色発光ダイオード１１０Ｒ、緑色発光ダイオード１１０Ｇ、青色発光ダイオード１１０Ｂが水平方向に一例に繰り返し並べられ、その水平方向の列１１１〜１１８が垂直方向に並べられた配置となっている。そして、各列１１１〜１１８の各々の発光ダイオードと駆動回路１２０がＲＧＢの３相からなるコード１１９で接続されている。このように、一つの駆動回路１２０でＲＧＢ各色の全ての発光ダイオードを制御している。
【非特許文献１】日経エレクトロニクス（日経ＢＰ社）、2004年12月20日号（第 889号）第123〜130頁
【発明の開示】
【発明が解決しようとする課題】
【００１３】
ところで、非特許文献１に記載のものは、温度センサやカラーセンサ（測色計）を用い、それらの検出結果を基にして、各色ＬＥＤの駆動電流を調整しバックライト装置の白色の色度を予め設定された一定値に制御している。しかし、予め設定された白色の色度となるように制御しているだけであり、ユーザが好みの色温度で表示させることはできなかった。
【００１４】
また図１５に示したように、従来のバックライト装置では、一面で発光ダイオードのスペクトル強度を制御していたので、ユーザが微妙な色温度の変化に気付くのが困難であるという問題があった。
【００１５】
本発明は斯かる点に鑑みてなされたものであり、肌色など忠実な色の再現を得るために、ユーザが好ましいと思われる色を簡単にしかも他の特性に影響せずに調整できるようにすることを目的とする。
【課題を解決するための手段】
【００１６】
上記課題を解決するため、本発明の表示装置は、画像表示範囲を複数に分割して各分割領域を異なる色温度で表示する表示部と、この表示部の各分割領域を各々所定の色温度に調整する駆動回路部と、表示部の各分割領域の中から利用者が所望の分割領域を選択するための色温度選択部と、この色温度選択部からの信号を検出して、選択された分割領域の色温度で全画像表示範囲が表示されるよう駆動回路部を制御する制御部とを有することを特徴とする。
【００１７】
上記構成によれば、利用者が好みの色を事前に設定できるように分割領域の色温度を簡単に変えられる。そして、複数の異なる色温度を同一画面上に表示するので、利用者は複数の異なる色温度の画面を同一画面上で比較しながら、最適と思われる色温度表示を選択することができる。
【００１８】
また本発明の照明装置は、画像表示範囲を複数に分割して各分割領域を異なる色温度で表示し、利用者に所望の分割領域を選択させる表示装置に用いられる液晶パネルを照明する照明装置であって、画像表示範囲を複数に分割して設定したそれぞれの分割領域に対応して個別に配置された複数の光源と、この複数の光源を前記分割領域ごとに独立して駆動させる駆動回路部を備え、複数の光源は、駆動回路部からの駆動信号に基づき分割領域ごとに独立して発光することを特徴とする。
【００１９】
上記構成によれば、照明装置を複数の領域に分割して、分割領域ごとに異なる発光特性を持つ照明光を出射することができる。
【００２０】
また本発明の表示方法は、表示部を利用者の所望の色温度で表示するための表示方法であって、記表示部の画像表示範囲を複数に分割して各分割領域を異なる色温度で表示し、上記複数の分割領域の中から利用者が所望の分割領域を選択したときに入力される信号を検出し、選択された分割領域の色温度で全画像表示範囲を表示することを特徴とする。
【００２１】
上記構成によれば、利用者が複数の異なる色温度を同一画面上に表示して比較しながら、最適と思われる白を設定することができる。
【発明の効果】
【００２２】
本発明によれば、複数の異なる色温度を同一画面上に表示し、利用者がそれらを比較しながら最適と思われる色温度を設定することができるので、利用者が好ましいと思われる色を簡単に、かつ他の特性に影響せずに調整することができるようになり、肌色など忠実な色の再現を容易に行なうことができる。
【発明を実施するための最良の形態】
【００２３】
以下、本発明の一実施の形態例について図１〜図１２を参照して説明する。
【００２４】
本例は、本発明の表示装置を透過型の液晶表示装置に適用したものである。まず液晶表示装置全体の構成例を、図１及び図２を参照して説明する。図１は、本発明の一実施の形態例に係る液晶表示装置の概略構造図である。また、図２は、本発明の一実施の形態例に係る液晶表示装置の概略分解図である。図１に示すように、本例の液晶表示装置は大きく分けて、発光ダイオード（ＬＥＤ）を光源としたバックライト装置５と、ＴＦＴ（Thin Film Transistor）アレイ基板１、液晶層２及びカラーフィルタ３を含む液晶パネル（ＬＣＤパネル）４とから構成される。バックライト装置５は、液晶パネル（表示部）４の背面に設置されている。図示しないが、一般的に液晶パネル４とバックライト装置５の間には導光板及び拡散板が、バックライト装置５の底面には反射シートが配置される。
【００２５】
カラーフィルタ３は、バックライト装置５のＬＥＤの色構成に対応した分光特性を持つ構成となっている。そしてバックライト装置５で混色された白色光を再び赤色（Ｒ），緑色（Ｇ），青色（Ｂ）に分離するために、画素に対応したＴＦＴアレイ基板１及び液晶層２の上部に青色フィルタ３Ｂ、緑色フィルタ３Ｇ、赤色フィルタ３Ｒがそれぞれ配列されている。
【００２６】
図１の液晶パネル４の上方に記載されている測色計６は、後述する液晶表示装置の白色の色温度設定に使用される。
【００２７】
ここでバックライト装置５の概略構成を図３に示す。図３Ａは、バックライト装置上の各色ＬＥＤの配置例を示したものであり、図３Ｂはバックライト装置の任意の位置における概略断面図である。図３Ａに示すように、バックライト装置５は４分割された各々の領域のバックライト２１，２２，２３，２４から構成される。
【００２８】
光源には、赤色発光ダイオード５Ｒ、緑色発光ダイオード５Ｇ、青色発光ダイオード５Ｂを使用し、バックライト装置５の基板上に各色発光ダイオードを所定の順番に列状に複数配列させることで、発光ダイオードユニットが形成される。各色発光ダイオードは各色の混合で白色となるように制御される。各発光ダイオードが発光した光は、図示しない拡散板や導光板により均一な光となって、液晶パネル４の背面に入射する。
【００２９】
基板上に発光ダイオードを配列する順番は、図３Ａに示すような、赤色発光ダイオード５Ｒ、緑色発光ダイオード５Ｇ、青色発光ダイオード５Ｂを繰り返し単位とする最も基本的な配列の仕方や、図示しないが、例えば、緑色発光ダイオード５Ｇを等間隔で配列させ、隣り合う緑色発光ダイオード５Ｇの間に、赤色発光ダイオード５Ｒ、青色発光ダイオード５Ｂを交互に配列させるような順番など様々な配列の仕方がある。
【００３０】
図４は、液晶表示装置のブロック構成の例を示した図である。この液晶表示装置は、映像信号が入力端子１０ａを介して供給される液晶パネル制御回路１１と、液晶パネル制御回路１１の出力が供給される液晶パネル４と、色温度切り替えスイッチ（操作部）１２と、色温度切り替えスイッチ１２の出力と入力端子１０ｂを介して入力される色温度調整信号が各々供給されるバックライト制御回路（制御部）１３と、バックライト制御回路１３の出力が供給される駆動回路１５，１６，１７，１８と、駆動回路１５，１６，１７，１８の出力がそれぞれ供給されるバックライト２１，２２，２３，２４と、バックライト制御回路１３によりデータの読み出しや書き込みが行われるメモリ１４とを備えている。
【００３１】
液晶パネル制御回路１１は、入力端子１０ａを介して入力された映像信号（以下、「入力映像信号」という。）から、例えば、水平同期信号又は垂直同期信号を検出し、検出した水平同期信号又は垂直同期信号に同期して、画面表示に必要なタイミング信号を生成すると共に、入力映像信号を液晶パネル４の特性に合わせたＲＧＢ信号に変換する。そして、液晶パネル制御回路１１は、画面表示に必要なタイミング信号、及び調整したＲＧＢ信号を液晶パネル４のＴＦＴアレイ基板１（図１参照）に各々供給する。また液晶パネル制御回路１１は、バックライト制御回路１３に対し点灯制御信号を供給する。
【００３２】
液晶パネル４は、液晶パネル制御回路１１から供給されたタイミング信号に基いて、上記タイミング信号と同時に液晶パネル制御回路１１から供給されるＲＧＢ信号に基いた画像を画面表示する。このときの液晶パネル４への印加電圧は、最適値に設定されているものとする。
【００３３】
本例では、各バックライト２１，２２，２３，２４に対してそれぞれ駆動回路１５，１６，１７，１８を設けているので、各バックライト２１，２２，２３，２４の点灯を独立して制御することが可能である。これにより、液晶表示パネルの画像表示範囲を複数に分割して各分割領域を異なる色温度で表示することができる。
【００３４】
各バックライト２１，２２，２３，２４と各駆動回路１５，１６，１７，１８の接続形態の例を、図５に示す。バックライト装置５は、図３を用いて説明したように４つの領域に分割され、各分割領域で各色発光ダイオードの発光、すなわちバックライトの色温度が制御される。なお各分割領域内における各色発光ダイオードの配列はこの例に限らず種々の配列が考えられる。
【００３５】
まずバックライト装置５の分割領域２１において、赤色発光ダイオード５Ｒ、緑色発光ダイオード５Ｇ、青色発光ダイオード５Ｂが水平方向に一例に繰り返し並べられ、その水平方向の列２１ａ〜２１ｄが垂直方向に並べられた配置となっている。そして、各列２１ａ〜２１ｄの各々の発光ダイオードと駆動回路１５がＲＧＢの３相からなるコード２１ｅで接続されており、ＲＧＢの各色の発光ダイオードごとにスペクトル強度が制御される。
【００３６】
同様に、バックライト装置５の分割領域２２において、各色の発光ダイオード５Ｒ，５Ｇ，５Ｂが水平方向に一例に繰り返し並べられ、その水平方向の列２２ａ〜２２ｄが垂直方向に並べられた配置となっている。そして、各列２２ａ〜２２ｄの各々の発光ダイオードと駆動回路１６がＲＧＢの３相からなるコード２２ｅで接続されており、ＲＧＢの各色の発光ダイオードごとにスペクトル強度が制御される。
【００３７】
また同様に、バックライト装置５の分割領域２３において、各色の発光ダイオード５Ｒ，５Ｇ，５Ｂが水平方向に一例に繰り返し並べられ、その水平方向の列２３ａ〜２３ｄが垂直方向に並べられた配置となっている。そして、各列２３ａ〜２３ｄの各々の発光ダイオードと駆動回路１７がＲＧＢの３相からなるコード２３ｅで接続されており、ＲＧＢの各色の発光ダイオードごとにスペクトル強度が制御される。
【００３８】
さらに同様に、バックライト装置５の分割領域２４において、各色の発光ダイオード５Ｒ，５Ｇ，５Ｂが水平方向に一例に繰り返し並べられ、その水平方向の列２４ａ〜２４ｄが垂直方向に並べられた配置となっている。そして、各列２４ａ〜２４ｄの各々の発光ダイオードと駆動回路１８がＲＧＢの３相からなるコード２４ｅで接続されており、ＲＧＢの各色の発光ダイオードごとにスペクトル強度が制御される。
【００３９】
上述した色温度切り替えスイッチ１２は、異なる色温度で表示された複数の分割領域の中からユーザが好みの色温度で表示された分割領域を選択するための操作部として機能するものである。例えばユーザの好みの色温度を選択できる色温度選択モードにおいて、各分割領域を異なる色温度で表示し、ユーザが表示画面上のある分割領域を選択することにより、選択された分割領域の色温度の情報がバックライト制御回路１３に供給される。そして、その色温度情報に基づく制御信号が駆動回路１５〜１９から供給され、当該分割領域の色温度情報に応じた同一の駆動信号（駆動電流）が全分割領域２１，２２，２３，２４の発光ダイオードに供給され、液晶表示装置の全画面をユーザの好みの色温度で表示することができる。
【００４０】
さらにバックライト制御回路１３には、ユーザが図示しない操作部を操作することにより入力端末１０ｂから色温度調整信号が入力され、この色温度調整信号に基づいて該当する分割領域の駆動回路が制御される。
【００４１】
上記色温度切り替えスイッチ１２は、例えば赤外線を利用した遠隔操作装置（いわゆるリモコン）や、液晶パネル４に積層されたタッチパネル、あるいは液晶表示装置に設けられる操作ボタンなどが適用できる。色温度切り替えスイッチ１２は、色温度調整信号を生成するための操作部と共用であってもよい。
【００４２】
図６は、液晶パネル４を４分割した場合の色温度別表示例である。本例では、液晶パネル４の分割領域３１がバックライト装置５の分割領域２１に、同様に液晶パネル４の分割領域３２がバックライト装置５の分割領域２２に、液晶パネル４の分割領域３３がバックライト装置５の分割領域２３に、そして液晶パネル４の分割領域３４がバックライト装置５の分割領域２４に対応している。図６に示すように、分割領域３１，３２，３３，３４はそれぞれ色温度１００００Ｋ，８０００Ｋ，６５００Ｋ，５０００Ｋの色温度で表示される。
【００４３】
図７は、本例において使用した発光ダイオードの分光特性の一例を示すものである。赤色（Ｒ）がピーク波長６４０ｎｍ、緑色（Ｇ）がピーク波長５２５ｎｍ、青色（Ｂ）がピーク波長４５０ｎｍである。図７は発光ダイオード３色とも１００％の電流投入で発光させたときの分光特性を示す。分光特性の測定は図１に示す測色計６で行なった。
【００４４】
また、カラーフィルタについては、図８に示すような分光特性を有するものを使用した。３色の発光ダイオードをそれぞれ１００％の電流投入で発光させたときに、カラーフィルタ３の各々の色における光出力を測定してそれらの比率を算出した。本例では、赤色（Ｒ）域において透過率が約０．９３、緑色（Ｇ）域において透過率が約０．７６、青色（Ｂ）域において透過率が約０．６４であった。
【００４５】
図９は、バックライト装置を４つの領域に分割し、それぞれの分割領域面での色温度を１００００Ｋ，８０００Ｋ，６５００Ｋ，５０００Ｋとして白色を生成した。すなわち色温度差を段階的に１５００〜２０００Ｋとし、４種類の色温度を表示できるようにした。この白色温度は、カラーフィルタ３の特性は変えずに、各分割領域における各色の発光ダイオードの分光特性のみを変えて調整した。
【００４６】
図９Ａは、色温度１００００Ｋを出すためのＲＧＢの発光ダイオードのスペクトル分光分布である。このときの各発光ダイオードの分光特性は、青色（Ｂ）が９０％、緑色（Ｇ）が５２％、赤色（Ｒ）が８５％となるように、駆動回路１５から供給する駆動電流を制御した。
【００４７】
図９Ｂは、色温度８０００Ｋを出すためのＲＧＢの発光ダイオードのスペクトル分光分布である。このときの各発光ダイオードの分光特性は、青色（Ｂ）が７６％、緑色（Ｇ）が５２％、赤色（Ｒ）が９３％となるように、駆動回路１６から供給する駆動電流を制御した。
【００４８】
図９Ｃは、色温度６５００Ｋを出すためのＲＧＢの発光ダイオードのスペクトル分光分布である。このときの各発光ダイオードの分光特性は、青色（Ｂ）が６７％、緑色（Ｇ）が５２％、赤色（Ｒ）が９３％になるように、駆動回路１７から供給する駆動電流を制御した。
【００４９】
図９Ｄは、色温度５０００Ｋを出すためのＲＧＢの発光ダイオードのスペクトル分光分布である。このときの各発光ダイオードの分光特性は、青色（Ｂ）が５０％、緑色（Ｇ）が５２％、赤色（Ｒ）が１１０％になるように、駆動回路１８から供給する駆動電流を制御した。上述においても説明したように各発光ダイオードに供給する駆動電流の制御は分割領域の４面ごとに独立で行う。
【００５０】
なお、この３色の発光ダイオードのスペクトル特性は、各色単独の発光ダイオードの分光特性やカラーフィルタの分光特性によっても異なってくるので、この例に限られないことは勿論である。
【００５１】
図１０は、色温度による白色点の変化を示したＣＩＥ色度図である。図１０において、馬蹄型の曲線４５はｓＲＧＢ色空間であり、かつ色温度が１００００Ｋにおける白色点４６，８０００Ｋにおける白色点４７，６５００Ｋのおける白色点４８，５０００Ｋにおける白色点４９のそれぞれの色再現範囲５１，５２，５３，５４を示している。色温度が下がるにつれて白色点が赤色域（矢印５０の方向）にずれていくのがわかる。なお、図中のＷＰは白色点を意味する。
【００５２】
図１１は、白色温度と色再現域を示すものであり、Ａは赤色域、Ｂは緑色域、Ｃは青色域における変化を示したものである。色温度が低くなるにつれて、青色が緑色方向（図１１Ｃの矢印５７）に、緑色は黄色方向（図１１Ｂの矢印５６方向）に、赤色はより深い（彩度が高い）赤色方向（図１１Ａの矢印５５）に色域がずれるのがわかる。
【００５３】
これらの色温度は、図６に示したように、バックライト装置３からの照明が液晶パネル４を透過後に液晶層２を制御することによって全白を生成し、画像表示面を４分割して４面で色温度の違う白を表示し、比較しながらユーザが願望する白色を決めることができる。これによって、地域性、年齢等によって色の見え方が違っていた問題点を解決し、ユーザが好むところの色再現範囲が決まり、違和感なく映像を見ることが可能となる。
【００５４】
図１２は、液晶表示装置により行われる色温度設定処理を示すフローチャートである。まず、ユーザが液晶表示装置のメニュー画面より色温度選択モードを選択して、色温度選択モード画面を表示させる。すなわち、分割画面に対応するバックライト装置５の各分割領域２１〜２４に各駆動回路１５〜１８からそれぞれ異なる所定の駆動電流を供給して、バックライト装置５の各分割領域２１〜２４を異なる色温度で照明する（ステップＳ１）。
【００５５】
このバックライト装置５の各分割領域２１〜２４からの照明光を液晶パネル４に照射するとともに、液晶パネル４の液晶層２を制御して液晶パネル４を全白表示する（ステップＳ２）。これにより、液晶パネル４に色温度の異なる４分割表示の白色表示を行い、ユーザに色温度を比較させて好みの色温度を選択させる。
【００５６】
ユーザが分割表示された液晶パネル４の中から、色温度切り替えスイッチ１２を操作して好みの色温度で表示された分割領域（分割画面）を選択する。液晶表示装置のバックライト制御回路１３は、ユーザが選択した分割領域を示す入力信号を検出し、その分割領域の色温度情報を得る（ステップＳ３）。
【００５７】
次に、バックライト制御回路１３で検出した入力信号に対応する、すなわちユーザが選択した分割領域の色温度情報に基づいて、バックライト制御回路１３から各駆動装置１５〜１８に制御信号を送り、バックライト装置５の各分割領域２１〜２４の各色の発光ダイオードに対して各駆動回路１５〜１８から制御信号に従い同一の駆動電流を供給するようにする（ステップＳ４）。
【００５８】
これにより、バックライト装置５の各分割領域２１〜２４が同一のスペクトル強度で発光し、液晶パネル４に同一発光特性を持つ照明光が照射される。その結果、利用者が選択した色温度で全画面を表示することができる（ステップＳ５）。
【００５９】
以上説明したように、本発明によれば、ユーザが好みの色を事前に設定できるようにバックライト側で白色点を簡単に変えられる。従来はユーザによる地域性や年齢によって見え方が異なっていたにもかかわらず、色温度が一定に決められていたため、ユーザにとっては好ましい色に見えなかった画像もあった。また、従来は表示面全体すなわち一画面のみの色温度を見て補正を行うので、他の色温度と比較しながらの補正ができなかった。しかし、本発明によれば、バックライト装置側でエリア別に色温度を制御し、ユーザが事前に複数の異なる色温度を同一画面上に表示して比較しながら、ユーザが液晶パネルを通して見た白の中で最適と思われる白を設定することにより、肌色や他の記憶色が忠実に再現することができる。
【００６０】
また、光源である各色の発光ダイオードが発光した光そのものの加法混色であるために、液晶パネル側で光を損失することなしに白色点を変えることができる。
【００６１】
なお、上記色温度選択モードは、ユーザがメニュー画面から選択するのではなく、例えば液晶表示装置の電源を入れたとき４分割表示して、ユーザに選択させてもよい。あるいは、電源投入前に前回の色温度設定をメモリ１４に保存して、電源投入時にその色温度設定を読み出して、全画面をその色温度で表示するようにしてもよい。
【００６２】
また、予めメモリ１４に保存して設定されている４種の色温度で表示するほかに、ユーザが微調整した色温度をメモリ１４に記憶して、４分割表示する際の１つの色温度候補に設定する。そして、色温度設定モードにて、そのユーザが微調整した色温度で４分割表示のうちの１つを表示してもよい。
【００６３】
また、ユーザが色温度を微調整できる操作部手段を操作して、複数の異なる色温度の分割画面からユーザが所望の分割画面を選択した後、さらにユーザがその分割画面の色温度を微調整できるようにしてもよい。あるいは、ユーザが分割画面を選択した後に、非特許文献１に記載されているようなカラーセンサで検出される信号を利用して色温度微調整信号生成し、入力端子１０ｂにその微調整信号を入力して、さらに色温度の微調整を行なうようにしてもよい。
【００６４】
また、上述の実施の形態例では、光源としてＲＧＢ３色の発光ダイオードを用いたが、マゼンタ、シアン、イエローを用いてもよい。さらに、これらの色の中から４色、５色、６色を組み合わせてもよい。
【００６５】
また、透過型（バックライト型）の液晶表示装置に限らず、フロントライト型、半透過型、ＰＤＰ（プラズマ・ディスプレイ・パネル）などにも適用することができる。
【００６６】
さらに本発明は、上述した各実施の形態例に限定されるものではなく、その他本発明の要旨を逸脱しない範囲において、種々の変形、変更が可能であることは勿論である。
【図面の簡単な説明】
【００６７】
【図１】本発明の一実施の形態例に係る液晶表示装置の概略構造図である。
【図２】本発明の一実施の形態例に係る液晶表示装置の概略分解図である。
【図３】本発明の一実施の形態例に係るバックライト装置を示す図であり、ＡはＬＥＤの配置例、Ｂはバックライト装置上のＬＥＤを表したものである。
【図４】本発明の一実施の形態例に係る液晶表示装置の概略ブロック構成例を示す図である。
【図５】本発明の一実施の形態例に係るバックライト装置における、ＬＥＤと駆動回路との接続形態を示す図である。
【図６】本発明の一実施の形態例に係る色温度別パネル表示例（４分割の場合）を示す図である。
【図７】本発明の一実施の形態例に係るバックライト装置に使用されるＬＥＤ分光特性の例を示す図である。
【図８】本発明の一実施の形態例に係る液晶表示装置に使用されるカラーフィルタ分光特性の例を示す図である。
【図９】本発明の一実施の形態例に係る色温度別ＬＥＤ分光特性を示しており、Ａは１００００Ｋ、Ｂは８０００Ｋ、Ｃは６５００Ｋ、Ｄは５０００Ｋの例を表す。
【図１０】本発明の一実施の形態例に係る色温度による白色点の変化を示す図である。
【図１１】本発明の一実施の形態例に係る色温度による色再現範囲の変化を示す図であり、Ａは赤色域、Ｂは緑色域、Ｃは青色域に着目した例である。
【図１２】本発明の一実施の形態例に係る色温度設定処理のフローチャートである。
【図１３】色温度と色度点の関係を示した図である。
【図１４】モニタの白色点と色再現範囲の説明に供する図である。
【図１５】従来のバックライト装置の説明に供する図である。
【符号の説明】
【００６８】
１…ＴＦＴアレイ基板、２…液晶層、３…カラーフィルタ、３Ｒ…赤色フィルタ、３Ｇ…緑色フィルタ、３Ｂ…青色フィルタ、４…液晶パネル、５…バックライト装置、５Ｒ…赤色発光ダイオード、５Ｇ…緑色発光ダイオード、５Ｂ…青色発光ダイオード、１１…液晶パネル制御回路、１２…色温度切り替えスイッチ、１３…バックライト制御回路、１４…メモリ、１５，１６，１７，１８…駆動回路、２１，２２，２３，２４…（バックライトの）分割領域、３１，３２，３３，３４…（表示パネルの）分割領域、４６，４７，４８，４９…白色点、５１，５２，５３，５４…色再現範囲
【図１】
2007101669.tif 000003
【図２】
2007101669.tif 000004
【図３】
2007101669.tif 000005
【図４】
2007101669.tif 000006
【図５】
2007101669.tif 000007
【図６】
2007101669.tif 000008
【図７】
2007101669.tif 000009
【図８】
2007101669.tif 000010
【図９】
2007101669.tif 000011
【図１０】
2007101669.tif 000012
【図１１】
2007101669.tif 000013
【図１２】
2007101669.tif 000014
【図１３】
2007101669.tif 000015
【図１４】
2007101669.tif 000016
【図１５】
2007101669.tif 000017